(57)【要約】【課題】コンロ本体１に、天板２に開設したコンロ開口４に臨むガスバーナ３を設けると共に、ガスバーナ３の燃焼用二次空気を送風機８により強制給気するようにしたガスコンロにおいて、燃焼用二次空気の温度を高くして、ガスバーナ３から噴出されるガスの燃焼速度を速め、調理容器Ｐとガスバーナ３との間の距離が短くなっても、火炎が調理容器Ｐに達する前に燃焼反応が完了するようにする。【解決手段】送風機８の作動で外気を強制的に流す通風路９を天板２の下面に沿わせて設け、ガスバーナ３に対する燃焼用二次空気の給気通路１０を通風路９の下流端１４に連通させる。また、通風路９に、天板２の下面のコンロ開口４の周囲部分に位置する環状通路９ｂを設け、この環状通路９ｂを１周するように外気を流して、燃焼用二次空気となる外気を効果的に昇温させる。【選択図】　図１
2004053113.tif 000002
【特許請求の範囲】
【請求項１】
コンロ本体に、天板に開設したコンロ開口に臨むガスバーナを設けると共に、ガスバーナの燃焼用二次空気を送風機により強制給気するようにしたガスコンロにおいて、
前記送風機の作動で外気を強制的に流す通風路を前記天板の下面に沿わせて設け、前記ガスバーナに対する燃焼用二次空気の給気通路を前記通風路の下流端に連通させることを特徴とするガスコンロ。
【請求項２】
前記通風路に、前記天板の下面の前記コンロ開口の周囲部分に位置する環状通路を設けることを特徴とする請求項１に記載のガスコンロ。
【請求項３】
前記環状通路の周方向１箇所の入口部分からこれと区画壁で隔離されて隣接する出口部分に向けて前記環状通路を１周するように外気を流すことを特徴とする請求項２に記載のガスコンロ。
【請求項４】
前記ガスバーナは、前記天板の下方に配置される、前記コンロ開口と同心の環状のバーナヘッドに内向きの炎孔を多数形成して成る内炎式バーナであり、このバーナヘッドと前記天板との間に前記環状通路を設けることを特徴とする請求項２または３に記載のガスコンロ。
【請求項５】
前記内炎式バーナの火炎を前記コンロ開口内に導く火炎ガイドを前記環状通路の内周壁で構成することを特徴とする請求項４に記載のガスコンロ。
【発明の詳細な説明】
【０００１】
【発明の属する技術分野】
本発明は、コンロ本体に、天板に開設したコンロ開口に臨むガスバーナを設けると共に、ガスバーナの燃焼用二次空気を送風機により強制給気するようにしたガスコンロに関する。
【０００２】
【従来の技術】
ガスコンロでは、熱効率を向上する上ために、五徳を低くして調理容器とガスバーナとの間の距離を短くすることが望まれるが、このままでは燃焼排気の排出抵抗の増加で燃焼不良を生ずるため、送風機により燃焼用二次空気を強制給気することが必要になり、更に、天板が過熱され易くなるため、天板の冷却も必要になる。
【０００３】
そこで、従来、特公平７―９６９２８号公報に見られるように、送風機の作動で外気を強制的に流す通風路を前記天板の下面に沿わせて設けると共に、ガスバーナに対する燃焼用二次空気の給気通路を通風路の途中から分岐し、天板の空冷とガスバーナへの燃焼用二次空気の強制給気とを行うようにしたものが知られている。尚、このもので通風路の下流端は大気開放されている。
【０００４】
【発明が解決しようとする課題】
ところで、燃焼用二次空気の温度を高くすれば、ガスバーナの炎孔から噴出されるガスの燃焼速度が速くなり、調理容器とガスバーナとの間の距離が短くなっても、火炎が調理容器に達する前に燃焼反応が完了し、燃焼性が改善される。
然し、上記従来例のものでは、給気通路が通風路の途中から分岐されているため、天板との熱交換途中で左程昇温されていない外気が給気通路に分流されることになり、燃焼用二次空気の高温化による燃焼性の改善は期待できない。
【０００５】
本発明は、以上の点に鑑み、燃焼用二次空気の高温化により燃焼性の改善を図れるようにしたガスコンロを提供することをその課題としている。
【０００６】
【課題を解決するための手段】
上記課題を解決するために、本発明は、コンロ本体に、天板に開設したコンロ開口に臨むガスバーナを設けると共に、ガスバーナの燃焼用二次空気を送風機により強制給気するようにしたガスコンロにおいて、前記送風機の作動で外気を強制的に流す通風路を前記天板の下面に沿わせて設け、前記ガスバーナに対する燃焼用二次空気の給気通路を前記通風路の下流端に連通させている。
【０００７】
上記の構成によれば、天板と熱交換しつつ通風路の下流端にまで流れて充分に昇温された外気が給気通路に供給される。そのため、燃焼用二次空気の温度が高くなり、燃焼性が改善される。
【０００８】
ところで、最も高温になる天板の部分はコンロ開口の周囲の部分であり、天板の冷却効果および二次空気の昇温効果を高めるには、通風路に、天板の下面のコンロ開口の周囲部分に位置する環状通路を設けることが望ましい。特に、環状通路の周方向１箇所の入口部分からこれと区画壁で隔離されて隣接する出口部分に向けて環状通路を１周するように外気を流せば、コンロ開口の周囲部分に対する接触時間を長くして、二次空気の昇温効果を一層向上できる。
【０００９】
また、ガスバーナを、天板の下方に配置される、コンロ開口と同心の環状のバーナヘッドに内向きの炎孔を多数形成して成る内炎式バーナで構成する場合、バーナヘッドと天板との間に環状通路を設ければ、バーナヘッドと天板との間の空間を環状通路の配置スペースとして有効活用でき、合理的である。また、内炎式バーナを用いる場合は、バーナの火炎をコンロ開口内に導く火炎ガイドを付設するが、環状通路の内周壁で火炎ガイドを構成すれば、部品点数を削減でき、更に、環状通路に流れる外気を火炎からの熱によっても加熱して、二次空気の昇温効果を可及的に向上させることができ、有利である。
【００１０】
【発明の実施の形態】
図１を参照して、１は卓上式ガスコンロのコンロ本体を示している。コンロ本体１の上面には、セラミックガラス等の耐熱ガラスから成るガラス天板２が装着されており、ガラス天板２に、コンロ本体１に設けたガスバーナ３を臨ませるコンロ開口４を開設している。コンロ開口４には、そこからの亀裂を生じないように、金属製の保護リング４ａが装着されている。また、ガラス天板２の上面には、コンロ開口４の周囲部分に位置させて、鍋等の調理容器Ｐをガラス天板２との間にガスバーナ３の燃焼排気を流す空隙を存して支持する五徳部５が一体に形成されている。そのため、ガラス天板２とは別体の金属製五徳が不要となり、調理容器Ｐを揺り動かしたときに五徳が動いて、使用者に違和感を与えるといった不具合は生じない。また、ガラス天板２に一体の五徳部５は、煮こぼれがこびりつきにくく、且つ、変色もしないため、ガラス天板２が持つ外観性や清掃性の良さが損なわれることもない。
尚、ガスバーナ３は、ガラス天板２の下方に配置される、コンロ開口４と同心の環状のバーナヘッド３ａに内向きの炎孔３ｂを多数形成して成る内炎式バーナで構成されており、炎孔３ｂは、図示しないが周方向に傾斜している。図中３ｃは、バーナヘッド３ａに連なる混合管であり、コンロ本体１の前面に設けた操作子６で操作されるバルブユニット７に取り付けたノズル７ａから混合管３ｃに噴射されるガスとこの噴射に伴って吸引される一次空気とを混合管３ｃ内で混合させて、炎孔３ｂから噴出させるようにしている。
【００１１】
ところで、五徳部５の清掃性及び強度を考慮すると、五徳部５の高さは１ｃｍ以下、好ましくは５ｍｍ程度にすることが望まれる。然し、この様に五徳部５を低くすると、燃焼排気の排出抵抗が大きくなって、燃焼不良を生じ易くなると共に、ガラス天板２の過熱を生じ易くなるため、送風機８を設けて、ガラス天板２の空冷と、ガスバーナ３に対する燃焼用二次空気の強制給気とを行うことが必要になる。
そのため、送風機８の作動で外気を強制的に流す通風路９をガラス天板２の下面に沿わせて設け、この通風路９の下流端に、ガスバーナ３に対する燃焼用二次空気の給気通路１０を連通させている。通風路９は、ガラス天板２の後部に開設した外気取り入れ口１１と送風機８の吸い込み口とを連通する上流側部分９ａと、送風機８の吹き出し口に連通する下流側部分とで構成されている。そして、この下流側部分には、ガラス天板２とバーナヘッド３ａとの間の空間に、ガラス天板２の下面のコンロ開口４の周囲部分に位置するように配置された環状通路９ｂが設けられ、この環状通路９ｂの下側に給気通路１０が配置されている。
これを更に詳述するに、コンロ本体１に、バーナヘッド３ａを収納し、五徳部５の形成領域下面を囲うようにしてガラス天板２の下面に接するケーシング１２を設けると共に、ケーシング１２内の中間に、コンロ開口４の近傍でガラス天板２の下面に接する内周の立上り壁１３ａを有する仕切板１３を設け、仕切板１３で仕切られるケーシング１２内の上方の空間で環状通路９ｂ、下方の空間で給気通路１０を構成している。
また、環状通路９ｂには、図２に示す如く、周方向１箇所に送風機８の吹き出しダクト８ａが接線方向に挿入されており、更に、吹き出しダクト８ａの挿入箇所に対し該ダクト８ａの一側壁から成る区画壁８ｂで隔離されて隣接する仕切板１３の部分に、環状通路９ｂと通気路１０とを連通する連通孔１４を形成している。これによれば、吹き出しダクト８ａの挿入箇所たる入口部分から連通孔１４の形成箇所たる出口部分に向けて環状通路９ｂを１周するように外気が流れ、ガラス天板２のコンロ開口４の周囲部分が効果的に空冷される。
ここで、連通孔１４は通風路９の下流端に位置し、結局、ガラス天板２と熱交換しつつ通風路９の下流端にまで達して充分に昇温された空気が給気通路１０を介して燃焼用二次空気としてガスバーナ３に供給されることになる。特に、環状通路９ｂにおいて、ガラス天板２の最も高温になる部分であるコンロ開口４の周囲部分を１周するように空気が流れるため、燃焼用二次空気は効果的に昇温される。尚、環状通路９ｂの内周壁たる仕切板１３の立上り壁１３ａは、ガスバーナ３の火炎をコンロ開口４内に導く火炎ガイドに兼用されている。
給気通路１０は、コンロ開口４と同心の環状であって、バーナヘッド３ａを外側から囲うように形成されており、その内周に、バーナヘッド３ａの上方位置において炎孔３ｂからのガス噴出部に向けて開口する上方吹き出し部１５と、バーナヘッド３ａの下方位置において炎孔３ｂからのガス噴出部に向けて開口する下方吹き出し部１６とを設けている。尚、上方吹き出し部１５は、バーナヘッド３ａとその上側の仕切板１３との間の隙間で構成され、下方吹き出し部１６は、バーナヘッド３ａとその下側に設けたガイド板１７との間の隙間で構成されている。
【００１２】
また、給気通路１０内には、図３に示す如く、その周方向に延在する均圧板１８が設けられており、流入部たる連通孔１４から給気通路１０に流入した空気が均圧板１８に形成した多数の透孔１８ａを介して上下の吹き出し部１５，１６からガス噴出部に燃焼用二次空気として吹き出されるようにしている。
【００１３】
ここで、連通孔１４からは、環状通路９ｂにおける空気の旋回により、給気通路１０の接線方向の運動成分を持つ状態で空気が流入する。そのため、給気通路１０内でも空気が周方向に旋回して、上下の吹き出し部１５，１６からガス噴出部に向けて燃焼用二次空気がコンロ開口４の周方向の旋回運動成分を持つ渦巻き状に吹き出すことになる。そして、燃焼用二次空気が持つ旋回運動エネルギーにより火炎に効果的に渦流を生じさせることができる。従って、五徳部５が低くても、火炎が調理容器Ｐに達する迄の時間が長くなり、上記した燃焼用二次空気の昇温で燃焼速度が速められることと相俟って、火炎が調理容器Ｐに達する迄に燃焼反応が完了し、燃焼状態が良好に維持される。
【００１４】
尚、下方吹き出し部１６からの空気は、主として火炎が下方に伸びることを防止する役割を担うものであり、火炎に渦流を生じさせる役割は主として上方吹き出し部１５からの空気が担うから、渦巻き状に空気を吹き出すのは上方吹き出し部１５のみにしても良い。また、連通孔１４に近い給気通路１０の旋回方向上流側の部分では、遠心力の働きで吹き出し部１５，１６に空気が流れにくくなるため、均圧板１８の透孔１８ａの径を上流側程大きくし、吹き出し部１５，１６から全周に亘って均等に空気が吹き出されるようにする。
【００１５】
尚、ガスバーナとして外炎式バーナを用いることも可能であるが、この場合は火炎が広がるため、コンロ開口４の口径を大きくする必要がある。これに対し、ガスバーナ３として上記内炎式バーナを用いれば、コンロ開口４の口径を小さくでき、ガラス天板２の体裁が良好になる。
【００１６】
以上、卓上式ガスコンロに本発明を適用した実施形態について説明したが、カウンタトップに天板を載置するビルトイン式のガスコンロにも同様に本発明を適用できる。また、上記実施形態ではガラス天板２を用いたが、金属製の天板を用いても勿論良い。
【図面の簡単な説明】
【図１】本発明ガスコンロの一例を示す部分切断側面図。
【図２】図１のＩＩ―ＩＩ線切断平面図。
【図３】図１のＩＩＩ―ＩＩＩ線切断平面図。
【符号の説明】
１…コンロ本体　２…ガラス天板　３…ガスバーナ（内炎式バーナ）　３ａ…バーナヘッド　３ｂ…炎孔　４…コンロ開口　８…送風機　８ｂ…区画壁　９…通風路　９ｂ…環状通路　１０…給気通路　１３ａ…立上り壁（環状通路の内周壁）　１４…連通孔（通風路の下流端）
【図１】
2004053113.tif 000003
【図２】
2004053113.tif 000004
【図３】
2004053113.tif 000005